(57)【要約】    【課題】  吸収式冷凍機において、熱エネルギーロスを招くことなく、起動から定格の運転状態までの時間を短縮すること。    【解決手段】  吸収式冷凍機は、冷媒が蒸発して冷水を冷却する蒸発器１と、この蒸発器１から蒸発した冷媒蒸気を吸収して濃溶液を稀溶液とする吸収器２と、この吸収器２から送られてきた稀溶液に熱エネルギーを与えて溶液を濃縮し冷媒蒸気を生成する再生器４、５と、この再生器４、５で生成した冷媒蒸気を凝縮液化する凝縮器３と、溶液を循環させるための溶液循環ポンプ７と、冷媒をスプレーするための冷媒スプレーポンプ６とを備える。この吸収式冷凍機において、吸収器２に貯留される溶液の液面高さを制御する液面制御装置２５が設けられている。【選択図】  図１
2005282879.tif 000002
【特許請求の範囲】
【請求項１】
冷媒が蒸発して冷水を冷却する蒸発器と、この蒸発器から蒸発した冷媒蒸気を吸収して濃溶液を稀溶液とする吸収器と、この吸収器から送られてきた稀溶液に熱エネルギーを与えて溶液を濃縮し冷媒蒸気を生成する再生器と、この再生器で生成した冷媒蒸気を凝縮液化する凝縮器と、溶液を循環させるための溶液循環ポンプと、冷媒をスプレーするための冷媒スプレーポンプとを備えた吸収式冷凍機において、
前記吸収器に貯留される溶液の液面高さを制御する液面制御装置を設けたことを特徴とする吸収式冷凍機。
【請求項２】
冷媒が蒸発して冷水を冷却する蒸発器と、この蒸発器から蒸発した冷媒蒸気を吸収して濃溶液を稀溶液とする吸収器と、この吸収器から送られてきた稀溶液に熱エネルギーを与えて溶液を濃縮し冷媒蒸気を生成する再生器と、この再生器で生成した冷媒蒸気を凝縮液化する凝縮器と、溶液を循環させるための溶液循環ポンプと、冷媒をスプレーするための冷媒スプレーポンプとを備えた吸収式冷凍機において、
前記蒸発器に貯留される冷媒の液面高さを制御する液面制御装置を設けたことを特徴とする吸収式冷凍機。
【請求項３】
請求項１または２に記載された吸収式冷凍機において、吸収式冷凍機停止時に前記冷媒スプレーポンプの停止のタイミングを制御する制御装置を備えたことを特徴とする吸収式冷凍機。
【請求項４】
請求項１または２に記載された吸収式冷凍機において、吸収式冷凍機起動時に冷却水を流すタイミングを制御する制御装置を備えたことを特徴とする吸収式冷凍機。
【請求項５】
請求項１または２に記載された吸収式冷凍機において、冷凍機起動時に蒸気を過剰投入するように蒸気流量を調整する蒸気流量調整装置を設けたことを特徴とする吸収式冷凍機。
【請求項６】
冷媒が蒸発して冷水を冷却する蒸発器と、この蒸発器から蒸発した冷媒蒸気を吸収して濃溶液を稀溶液とする吸収器と、この吸収器から送られてきた稀溶液に熱エネルギーを与えて溶液を濃縮し冷媒蒸気を生成する再生器と、この再生器で生成した冷媒蒸気を凝縮液化する凝縮器と、溶液を循環させるための溶液循環ポンプと、冷媒をスプレーするための冷媒スプレーポンプとを備えた吸収式冷凍機において、
吸収式冷凍機起動時に蒸気を過剰投入できように蒸気流量を調整できる蒸気流量調整装置を設けたことを特徴とする蒸気吸収式冷凍機。
【発明の詳細な説明】
【技術分野】
【０００１】
本発明は吸収式冷凍機に関する。
【背景技術】
【０００２】
従来の吸収式冷凍機としては、図７から図９に示すものがある（従来技術１）。図７は従来技術１の吸収式冷凍機のサイクル構成図、図８は図７の吸収式冷凍機の運転開始時における動作フローチャート、図９は図７の吸収式冷凍機の運転停止時における動作フローチャートである。
【０００３】
従来技術１の吸収式冷凍機の定常運転時のサイクルを、図７を参照しながら説明する。定常運転時では、蒸発器１内の底部に貯留された冷媒液は、冷媒スプレーポンプ６により蒸発器１内の上部からスプレーされ、蒸発器１内に設置された冷水管２２の外面に沿って流下される。このとき、冷媒液は、冷水管２２内を流れる水の熱を奪って蒸発される。この冷媒液の蒸発潜熱により冷水管２２内を流れる水が冷やされる。この水は冷房用の冷水などとして使用される。蒸発した冷媒蒸気は、吸収器２内へ流れ、溶液スプレー配管１２を通って吸収器２内の上部からスプレーされた濃溶液に吸収される。その際に発生する吸収熱は吸収器２内に設置された冷却水管２３内を流れる冷却水にて奪われる。
【０００４】
冷媒蒸気を吸収して濃度の下がった稀溶液は、溶液循環ポンプ７により、溶液送り配管９を流れ、熱交換器８を経由して、高温再生器５及び低温再生器４に分流して送られる。高温再生器５では、ガス、油、蒸気を加熱源として稀溶液が加熱されて濃溶液とされる。その際に発生する高温の冷媒蒸気は、冷媒蒸気配管１０を通って低温再生器４に送られ、低温再生器４内を通る管内を流れることにより、低温再生器４内に送られた稀溶液を加熱して濃溶液とすると共に、熱を奪われて冷媒液となる。
【０００５】
この冷媒液は凝縮器３内に送られる。また、低温再生器４内にて発生した冷媒蒸気は、凝縮器３に送られ、凝縮器３内の管内を流れる冷却水に熱を奪われて凝縮し、冷媒液となる。凝縮器３内の底部に貯留される冷媒液は、冷媒戻り配管１１を流れ、蒸発器１に戻される。戻ってきた冷媒液は、蒸発器１内の冷媒タンク部に溜り、冷媒スプレーポンプ６にて再び蒸発器１内の上部から冷水管２２の外面にスプレーされる。なお、蒸発器１内の冷水管２２内を流れ冷媒液によって冷やされる冷水の温度は、蒸発器１の出口で制御される。
【０００６】
かかる吸収式冷凍機の起動時の動作フローを、図８を参照しながら説明する。吸収式冷凍機を起動するには、冷凍機故障でない場合に（Ｓ６１）、運転指令を入力すること（Ｓ６２）又は運転ボタンをオンすること（Ｓ６３）により、冷凍機運転オンの状態とする（Ｓ６４）。
【０００７】
この状態になると、冷水ポンプ１３に運転要求が行われ（Ｓ６５）、冷水ポンプ１３が運転される（Ｓ６６）。冷水ポンプ１３の運転により、冷水流量が確立されると（Ｓ６７）、所定時間が経過したか否かが判定される（Ｓ６８）。この判定で、所定時間経過と判定されると、冷却水ポンプ１４の運転要求が行われ（Ｓ６９）、冷却水ポンプ１４が運転される（Ｓ７０）。冷却水ポンプ１４の運転により、冷却水流量が確立すると（Ｓ７１）、所定時間が経過したか否かが判定される（Ｓ７２）。この所定時間が経過すると、冷凍機の起動条件確立となる（Ｓ７３）。
【０００８】
この起動条件が確立したら、高温再生器５の加熱源３０が起動されて稀溶液の濃縮が開始され、同時に高温再生器５内の稀溶液の濃縮過程によって生成された冷媒蒸気により低温再生器４内で稀溶液の濃縮が開始される（Ｓ７４）。それと同時に溶液循環ポンプ７および冷媒スプレーポンプ６が起動され（Ｓ７５、Ｓ７６）、冷水出口温度制御が開始される（Ｓ７７）。そして運転時間計の動作がスタートする（Ｓ７８）。これで、冷凍機は起動されて定常運転状態に入る。
【０００９】
かかる吸収式冷凍機の停止時の動作フローを、図９を参照しながら説明する。吸収式冷凍機を停止するには、まず、停止ボタンをオンにすること（Ｓ８１）又は停止命令を入力すること（Ｓ８２）により冷凍機運転オフの状態とする（Ｓ８３）。この状態になると、高温再生器５内の稀溶液の加熱が停止され、高温再生器５内及び低温再生器４内での稀溶液の濃縮が行われなくなり、冷媒蒸気が生成されなくなる（Ｓ８４）。それと同時に、冷水出口温度制御が停止される（Ｓ８５）。
【００１０】
この後、濃溶液が冷凍機停止後に結晶化しないように、蒸発器１内で冷媒蒸気を生成し、吸収器２内にスプレーされる濃溶液に吸収させ、濃度の下がった稀溶液を高温再生器５、低温再生器４に循環させて濃溶液を稀釈する稀釈運転が所定時間行われる（Ｓ８６）。所定時間が経過すると、冷媒スプレーポンプ６、冷水ポンプ１３、冷却水ポンプ１４が停止され、蒸発器１内で冷媒蒸気が生成されなくなり、吸収器２内で濃溶液が冷媒蒸気を吸収して濃度を下げる過程が終了する（Ｓ８７、Ｓ８８、Ｓ８９）。
【００１１】
そして、冷凍機運転オフの状態で、吸収器２、低温再生器３、高温再生器５、熱交換器８内の全ての溶液が結晶しない程度の濃度になると想定される所定時間が経過すると（Ｓ９０）、溶液循環ポンプ７が停止されると共に（Ｓ９１）、運転時間計がストップされ（Ｓ９２）、溶液の循環過程が終了して吸収式冷凍機は正常に停止する。
【００１２】
また、従来の吸収式冷凍機としては、特開平９−２６２３１号公報（特許文献１）に示されたものがある（従来技術２）。この従来技術２の吸収式冷凍機は、再生器を加熱するバーナヘの供給燃料を定格値より多くして起動時間の短縮を図り、定常運転になるにしたがって、供給ガスの温度が上昇して稀薄となりガス供給量が正常となるようにして、最大冷凍能力を発揮できると共に放熱ロスが削減されるようにしたものである。
【００１３】
【特許文献１】特開平９−２６２３１号公報
【発明の開示】
【発明が解決しようとする課題】
【００１４】
従来技術１の吸収式冷凍機では、溶液の結晶化を防ぐための稀釈運転が単に所定時間のみで制御されるため、適切な溶液濃度に稀釈することが困難であった。すなわち、周囲温度などの運転条件の変化によって、適切な溶液濃度に稀釈する運転時間が変化する。従って、想定される運転状態で溶液の結晶化を確実に防ぐためには、最も厳しい運転条件を想定して長い稀釈運転時間を設定する必要がある。しかし、このように設定すると、通常の運転状態では溶液が必要以上に稀釈されることとなり、起動時に所定の溶液濃度にするまでに時間がかかって、起動から定格運転までの時間が長くかかってしまうという問題があった。
【００１５】
また、従来技術２の吸収式冷凍機では、再生器を加熱するバーナヘの供給燃料を定格値より多くして起動時間の短縮を図っているため、起動時における熱エネルギーロスの発生を招いていた。
【００１６】
本発明の目的は、熱エネルギーロスを招くことなく、起動から定格の運転状態までの時間を短縮できる吸収式冷凍機を提供することにある。
【課題を解決するための手段】
【００１７】
前記目的を達成するために、本発明は、冷媒が蒸発して冷水を冷却する蒸発器と、この蒸発器から蒸発した冷媒蒸気を吸収して濃溶液を稀溶液とする吸収器と、この吸収器から送られてきた稀溶液に熱エネルギーを与えて溶液を濃縮し冷媒蒸気を生成する再生器と、この再生器で生成した冷媒蒸気を凝縮液化する凝縮器と、溶液を循環させるための溶液循環ポンプと、冷媒をスプレーするための冷媒スプレーポンプとを備えた吸収式冷凍機において、前記吸収器に貯留される溶液の液面高さを制御する液面制御装置を設けたことにある。
【００１８】
前記目的を達成するために、本発明は、冷媒が蒸発して冷水を冷却する蒸発器と、この蒸発器から蒸発した冷媒蒸気を吸収して濃溶液を稀溶液とする吸収器と、この吸収器から送られてきた稀溶液に熱エネルギーを与えて溶液を濃縮し冷媒蒸気を生成する再生器と、この再生器で生成した冷媒蒸気を凝縮液化する凝縮器と、溶液を循環させるための溶液循環ポンプと、冷媒をスプレーするための冷媒スプレーポンプとを備えた吸収式冷凍機において、前記蒸発器に貯留される冷媒の液面高さを制御する液面制御装置を設けたことにある。
【００１９】
係る本発明のより好ましい具体例は次の通りである。
（１）吸収式冷凍機停止時に前記冷媒スプレーポンプの停止のタイミングを制御する制御装置を備えたこと。
（２）吸収式冷凍機起動時に冷却水を流すタイミングを制御する制御装置を備えたこと。
（３）冷凍機起動時に蒸気を過剰投入するように蒸気流量を調整する蒸気流量調整装置を設けたこと。
【発明の効果】
【００２０】
本発明によれば、熱エネルギーロスを招くことなく、起動から定格の運転状態までの時間を短縮できる吸収式冷凍機が得られる。
【発明を実施するための最良の形態】
【００２１】
以下、本発明の複数の実施例について図を用いて説明する。各実施例の図における同一符号は同一物または相当物を示す。なお、それぞれの実施例を必要に応じて適宜に組み合わせることにより、さらに効果的なものとすることができる。また、本発明は、実施例に開示した形態に限られるものではなく、公知技術などに基づく変更を許容するものである。
【００２２】
まず、本発明の第１実施例を、図１から図３を用いて説明する。図１は本発明の第１実施例の吸収式冷凍機のサイクル構成図、図２は図１の吸収式冷凍機の停止時における動作フローチャート、図３は図１の吸収式冷凍機の起動時における動作フローチャートである。
【００２３】
図１に示すように、吸収式冷凍機は、蒸発器１、吸収器２、熱交換器８、高温再生器５、加熱源３０、低温再生器４、凝縮器３、冷媒スプレーポンプ６、溶液ポンプ７、冷水ポンプ１３、冷却水ポンプ１４、フロートバルブ１６、配管類および制御装置を備えて構成されている。制御装置は、冷媒スプレーポンプ６、溶液ポンプ７、冷水ポンプ１３、冷却水ポンプ１４、液面制御装置２５および加熱源３０などを制御する。
【００２４】
蒸発器１は液冷媒を蒸発するためのものである。蒸発器１の底部には、液冷媒を貯留するタンク部が形成され、貯留された液冷媒を吸込む冷媒ポンプ６が接続されている。この冷媒ポンプ６は、蒸発器１内に導く冷媒スプレー配管２０を介して蒸発器１内の上部に設置された冷媒スプレー装置２１へ液冷媒を供給するように設けられている。冷媒スプレー装置２１は、蒸発器１内の冷水管２２に上部から液冷媒をスプレーするように設けられている。また、蒸発器１の内部において、冷媒スプレー装置２１の下方には、冷水を流す冷水管２２が通されている。この冷水管２２の入口側には、冷水ポンプ１３が設けられている。冷水管２２内で冷やされた水は冷房用の冷水などとして使用される。
【００２５】
吸収器２は蒸発器１に隣接して設けられている。この吸収器２は濃溶液に冷媒蒸気を吸収して稀釈するためのものである。吸収器２の底部には、稀溶液を貯留するタンク部が形成され、貯留された稀溶液を吸込む溶液ポンプ７が接続されている。この溶液ポンプ７は、溶液送り配管９を介して、熱交換器８へ稀溶液を供給するように設けられている。吸収器２の内部の上方には、溶液スプレー配管１２を介して熱交換器８から導かれる濃溶液をスプレーするための溶液スプレー装置２４が設置されている。また、吸収器２の内部において、溶液スプレー装置２４の下方には、冷却水を流す冷却水管２３が通されている。この冷却水管２３の入口側には、冷却水ポンプ１４が設けられている。
【００２６】
熱交換器８は、溶液送り配管９から稀溶液が供給され、この稀溶液を高温再生器５および低温再生器４へ分流して供給するように溶液送り配管９ａ、９ｂが分岐して設けられている。この溶液送り配管９ａ、９ｂは高温再生器５および低温再生器４に接続されている。この吸収式冷凍機は、再生器を高温再生器５と低温再生器４との２つに分けた、いわゆる二重効用吸収式冷凍機である。
【００２７】
また、熱交換器８には、濃溶液配管１２ａ、１２ｂが接続され、高温再生器５および低温再生器４で濃縮された濃溶液が熱交換器８内で合流させるように構成されている。また、熱交換器８には溶液スプレー配管１２が接続されている。この溶液スプレー配管１２は合流された濃溶液を吸収器２内の溶液スプレー装置２４に導いている。
【００２８】
高温再生器５は、供給された稀溶液を外部熱源である加熱源３０で加熱するように構成されている。加熱源３０としては、ガス、油、蒸気などが用いられる。蒸発された冷媒蒸気を高温再生器５から低温再生器４に導くための冷媒蒸気配管１０が設けられている。この高温再生器５には、溶液溜めが設置されている。この溶液溜めの底部からは、濃溶液を熱交換器８に導くための濃溶液配管１２ａが延びている。
【００２９】
低温再生器４は、供給された稀溶液を高温再生器５から延びる冷媒蒸気配管１０で加熱するように構成されている。この低温再生器４には、溶液溜めが設置されている。この溶液溜めの底部からは、濃溶液を熱交換器８に導くための濃溶液配管１２ｂが延びている。
【００３０】
かかる低温再生器４に連接して、低温再生器４で発生した冷媒蒸気が流入されるように、凝縮器３が設けられている。この凝縮器３は、高温再生器５および低温再生器４から供給された冷媒蒸気を吸収器２から延びる冷却水管２３により冷却するように構成されている。溶液スプレー配管１２は、凝縮器３と蒸発器１との間に接続され、凝縮器３で凝縮された冷媒液を蒸発器１に供給するように構成されている。
【００３１】
液面制御装置２５は、吸収器２の稀溶液の液面を制御するためのものであり、フロートバルブ１６と渡り配管１５とを備えて構成される。フロートバルブ１６は、吸収器２内の稀溶液を貯留するタンク部内に配置され、溶液スプレー配管１２の途中から分岐された渡り配管１５に設けられている。このフロートバルブ１６は、吸収器２内の稀溶液の液面の変動により開閉され、液面が所定の高さに上昇した時に開路して渡り配管１５から濃溶液を吸収器２内へ供給し、液面が所定の高さに下降した時に閉路して渡り配管１５からの濃溶液の供給を停止する。
【００３２】
本実施例における定常運転時のサイクルに関しては、従来技術１における説明と基本的には同一であるため、重複する説明を省略する。
【００３３】
本実施例における停止時の動作フローを、図２を参照しながら説明する。吸収式冷凍機を停止するには、まず、定常運転状態から、停止ボタンをオンにすること（Ｓ１）又は停止命令を入力すること（Ｓ２）により冷凍機運転オフの状態とする（Ｓ３）。この状態になると、加熱源３０による高温再生器５内の稀溶液の加熱が停止される。これによって、高温再生器５内及び低温再生器４内での稀溶液の濃縮が行われなくなり、冷媒蒸気が生成されなくなる（Ｓ４）。それと同時に、冷水出口温度制御が停止される（Ｓ５）。
【００３４】
この後、必要十分な濃度に溶液を稀釈する運転が行われる（Ｓ６）。この稀釈運転は、冷凍機停止中に濃溶液が結晶化しないように、蒸発器１内で冷媒蒸気を生成し、吸収器２内にスプレーされる濃溶液に吸収させ、濃度の下がった稀溶液を高温再生器５、低温再生器４に循環させて濃溶液を稀釈する運転である。
【００３５】
この稀釈運転を所定時間行った後に、冷媒スプレーポンプ６、冷水ポンプ１３、冷却水ポンプ１４が停止され、蒸発器１内で冷媒蒸気が生成されなくなり、吸収器２内で濃溶液が冷媒蒸気を吸収して濃度を下げる過程が終了する（Ｓ７、Ｓ８、Ｓ９）。
【００３６】
本実施例では、稀釈運転時に液面制御装置２５を動作させている。すなわち、稀釈運転時に、吸収器２内の溶液の液面高さに基づいて吸収器２内への濃溶液のスプレーを制御して溶液の濃度を制御し、冷凍機停止中に溶液が結晶化しない必要十分な濃度となるようにしている。具体的には、稀釈運転時に溶液の液面が所定の高さまで上昇すると、フロートバルブ１６が開き、高温再生器５および低温再生器４からの濃溶液が渡り配管１５を通って吸収器２内に流れるようになっている。これにより、吸収器２内の溶液スプレー装置２４から濃溶液をスプレーさせず、蒸発器１内で生成された冷媒蒸気を吸収させないようにして、溶液濃度を結晶化しない必要十分な濃度に保つことができる。
【００３７】
本実施例によれば、冷凍機の運転停止時に吸収器２内の稀溶液の液面高さに基づいて溶液濃度を結晶化しない必要十分な濃度に保つようにしているので、周囲温度などの運転条件が変化しても、溶液濃度を結晶化しない必要十分な濃度に保つことができる。これによって、熱エネルギーロスを招くことなく、起動時に所定の溶液濃度にするまでの時間が短縮でき、起動から定格運転までの時間を短縮することができる。
【００３８】
また、稀釈運転時に、溶液濃度が結晶しない必要十分な濃度に達したら、冷媒スプレーポンプ６を停止する制御を行っているので、稀釈運転時での冷媒蒸気生成量を制御し、溶液の過剰稀釈を防止することができる。
【００３９】
さらには、溶液の濃縮過程時において、高温再生器５及び低温再生器４の溶液が必要十分に濃縮されてから冷却水を流すように制御しているので、冷却水によって外部に流出する熱エネルギーを削減することができる。
【００４０】
そして、冷凍機運転オフの状態で、吸収器２、低温再生器３、高温再生器５、熱交換器８内の全ての溶液が結晶しない程度の濃度になると想定される所定時間が経過すると（Ｓ１０）、溶液循環ポンプ７が停止されると共に（Ｓ１１）、運転時間計がストップされ（Ｓ１２）、溶液の循環過程が終了して吸収式冷凍機は正常に停止する。
【００４１】
本実施例における起動時の動作フローを、図３を参照しながら説明する。本実施例のＳ１〜Ｓ２８は、従来技術１のＳ６１〜Ｓ６８と同様であるため、その重複する説明を省略する。Ｓ２８における所定時間が経過すると、冷凍機の起動条件確立となる（Ｓ２９）。
【００４２】
この起動条件が確立したら、高温再生器５の加熱源３０が起動されて稀溶液の濃縮が開始され、同時に高温再生器５内の稀溶液の濃縮過程によって生成された冷媒蒸気により低温再生器４内で稀溶液の濃縮が開始される（Ｓ３０）。それと同時に溶液循環ポンプ７が起動され（Ｓ３１）、運転時間計の動作がスタートする（Ｓ３２）。
【００４３】
本実施例では、かかる溶液濃縮運転開始時に、液面制御装置２５を動作させている。すなわち、濃縮運転開始時に、吸収器２内の溶液液面高さに基づいて吸収器２内への濃溶液のスプレーを制御して溶液の濃度を制御し、吸収器２内の溶液濃度が必要十分な濃度に早期になるようにしている。具体的には、濃縮運転開始時に液面が所定の高さに下降するまでは、フロートバルブ１６が開き、高温再生器５、低温再生器４からの濃溶液が渡り配管１５を通って吸収器２内に流れるようになっている。これにより、吸収器２内の溶液スプレー装置２４から濃溶液をスプレーさせず、蒸発器１内で生成された冷媒蒸気を吸収させないようにして、吸収器２内の溶液濃度を必要十分な濃度に濃縮する。
【００４４】
本実施例によれば、濃縮運転開始時に吸収器２内の溶液濃度を必要十分な濃度に早期に濃縮するので、熱エネルギーロスを招くことなく、起動から定格運転までの時間を短縮することができる。また、冷却水ポンプ１４および冷媒スプレーポンプ６は必要十分な濃度に濃縮された後に運転開始されるので、冷却水によって外部に流出する熱エネルギーを削減することができる。
【００４５】
そして、高温再生器５、低温再生器４による稀溶液の濃縮が開始すると、稀溶液は冷媒と濃溶液に分離されるため、溶液量が減少し、吸収器２の液面が下がる。このため、フロートバルブ１６は閉の状態になり、低温再生器４と高温再生器５から供給される濃溶液は溶液スプレー配管１５を流れ、吸収器２内にスプレーされる。
【００４６】
この状態になると、冷却水ポンプ１４の運転要求が行われ（Ｓ３４）、冷却水ポンプ１４が運転される（Ｓ３５）。冷却水ポンプ１４の運転により、冷却水流量が確立すると（Ｓ３６）、所定時間が経過したか否かが判定される（Ｓ３７）。この所定時間が経過すると、冷媒スプレーポンプ６が起動され（Ｓ３８）、冷水出口温度制御が開始される（Ｓ３９）。これで、冷凍機は起動されて定常運転状態に入る。
【００４７】
次に、本発明の第２実施例を図４を用いて説明する。図４は本発明の第２実施例による吸収式冷凍機のサイクル構成図である。なお、第２実施例の説明において、第１実施例と共通する部分の重複する説明は省略する。
【００４８】
この第２実施例では、蒸発器１内に冷媒の液面高さが制御できる液面制御装置２５Ａを設置したものである。この液面制御装置２５Ａは、稀釈運転時、蒸発器１内の冷媒液面高さを制御することにより、溶液の濃度を制御し、冷凍機停止中に溶液が結晶化しない必要十分な濃度に保てるようにするものである。具体的には、液面制御装置２５Ａは渡り配管１５Ａおよびフロートバルブ１６Ａを備えて構成されている。渡り配管１５Ａは、冷媒スプレー配管１７の途中から分岐されて蒸発器１の冷媒タンク部に導かれている。フロートバルブ１６Ａは、渡り配管１５Ａに設けられ、蒸発器１内の冷媒液面高さの変動により開閉を行うものである。
【００４９】
この第２実施例では、稀釈運転時に液面制御装置２５Ａを動作させている。すなわち、稀釈運転時、蒸発器１内の冷媒液の液面高さに基づいて蒸発器１内への冷媒液のスプレーを制御して吸収器２における溶液の濃度を制御し、冷凍機停止中に溶液が結晶化しない必要十分な濃度となるようにしている。具体的には、稀釈運転時に冷蝶液面が下降するとフロートバルブ１６が開き、冷媒スプレーポンプ６により吸い上げられる冷媒液が渡り配管１５を通り、蒸発器１内の冷媒タンク部に直接導かれる。これにより、冷媒スプレー装置２１から蒸発器１内の冷水管２１へ冷媒がスプレーされなくなり、蒸発器１内における冷媒蒸気の発生が停止される。従って、吸収器２内にスプレーされる濃溶液に冷媒蒸気が吸収されなくなり、溶液濃度を結晶化しない必要十分な濃度に保つことができる。
【００５０】
この第２実施例によれば、冷凍機の運転停止時に蒸発器１内の冷媒液の液面高さに基づいて溶液濃度を結晶化しない必要十分な濃度に保つようにしているので、周囲温度などの運転条件が変化しても、溶液濃度を結晶化しない必要十分な濃度に保つことができる。これによって、熱エネルギーロスを招くことなく、起動時に所定の溶液濃度にするまでの時間が短縮でき、起動から定格運転までの時間を短縮することができる。
【００５１】
さらには、この第２実施例では、溶液濃縮運転開始時に、液面制御装置２５Ａを動作させている。すなわち、濃縮運転開始時に、蒸発器１内の冷媒液の液面高さに基づいて蒸発器１内への冷媒液のスプレーを制御し、吸収器２内の溶液濃度が必要十分な濃度に早期になるようにしている。具体的には、濃縮運転開始時に冷媒液の液面が所定の高さに下降するまでは、フロートバルブ１６Ａが開き、冷媒液が渡り配管１５を通って蒸発器１内に直接流れるようになっている。これにより、蒸発器１内の冷媒スプレー装置２１から冷媒液がスプレーされず、蒸発器１内で冷媒蒸気が生成されなくなり、溶液濃度を必要十分な濃度に早期に濃縮する。
【００５２】
この第２実施例によれば、濃縮運転開始時に吸収器２内の溶液濃度を必要十分な濃度に早期に濃縮するので、熱エネルギーロスを招くことなく、起動から定格運転までの時間を短縮することができる。
【００５３】
次に、本発明の第３実施例を、図５を用いて説明する。図５は本発明の第３実施例による吸収式冷凍機のサイクル構成図である。なお、第３実施例の説明において、第１実施例と共通する部分の重複する説明は省略する。
【００５４】
この第３実施例では、熱エネルギーが蒸気である加熱源３０を用いた蒸気吸収式冷凍機において、蒸気流量を調整できる蒸気流量調整装置２６を設置したものである。この蒸気流量調整装置２６は、蒸気ドレン配管１９にドレン背圧調整弁１８を設けることによって構成されている。蒸気流量調整装置２６によって、冷凍機起動時に蒸気を過剰投入するよう制御する。これにより再生器５、４での溶液濃縮時間を短縮することができる。起動完了後はドレン背圧調整弁１８の開度を固定し、蒸気が定格流量流れるようにする。なお、この第３実施例では、第１実施例のように液面制御装置２５を備えていないが、これと組み合わせるようにすれば、さらに有用なものとすることができる。
【００５５】
次に、本発明の第４実施例を、図６を用いて説明する。図６は本発明の第４実施例による吸収式冷凍機の起動時の動作フローチャートである。なお、第４実施例の説明において、第１実施例と共通する部分の重複する説明は省略する。
【００５６】
この第４実施例では、第１実施例の起動時の動作フローチャート（図３参照）におけるＳ２９〜Ｓ３３とＳ３３〜Ｓ３７とを入れ替えたものであり、その他の点においては第１実施例と同一である。
【００５７】
この第４実施例によれば、起動時に吸収器２内の溶液濃度を必要十分な濃度に早期に濃縮するので、熱エネルギーロスを招くことなく、起動から定格運転までの時間を短縮することができる。また、溶液の濃縮過程時において、高温再生器５及び低温再生器４の溶液が必要十分に濃縮されてから冷却水を流すように制御しているので、冷却水によって外部に流出する熱エネルギーを削減することができる。
【図面の簡単な説明】
【００５８】
【図１】本発明の第１実施例の吸収式冷凍機のサイクル構成図である。
【図２】図１の吸収式冷凍機の停止時における動作フローチャートである。
【図３】図１の吸収式冷凍機の起動時における動作フローチャートである。
【図４】本発明の第２実施例による吸収式冷凍機のサイクル構成図である。
【図５】本発明の第３実施例による吸収式冷凍機のサイクル構成図である。
【図６】本発明の第４実施例による吸収式冷凍機の起動時における動作フローチャートである。
【図７】従来技術１の吸収式冷凍機のサイクル構成図である。
【図８】図７の吸収式冷凍機の起動時における動作フローチャートである。
【図９】図７の吸収式冷凍機の停止時における動作フローチャートである。
【符号の説明】
【００５９】
１…蒸発器、２…吸収器、３…凝縮器、４…低温再生器、５…高温再生器、６…冷媒スプレーポンプ、７…溶液循環ポンプ、８…熱交換器、９、９ａ、９ｂ…溶液送り配管、１０…冷媒蒸気配管、１１…冷媒戻り配管、１２…溶液スプレー配管、１２ａ…濃溶液配管、１３…冷水ポンプ、１４…冷却水ポンプ、１５…渡り配管、１６…フロートバルブ、１７…冷媒スプレー配管、１８…ドレン背圧調整弁、１９…蒸気ドレン配管、２０…冷媒スプレー配管、２１…冷媒スプレー装置、２２…冷水管、２３…冷却水管、２４…溶液スプレー装置、２５…液面制御装置、２６…蒸気流量調整装置、３０…加熱源。
【図１】
2005282879.tif 000003
【図２】
2005282879.tif 000004
【図３】
2005282879.tif 000005
【図４】
2005282879.tif 000006
【図５】
2005282879.tif 000007
【図６】
2005282879.tif 000008
【図７】
2005282879.tif 000009
【図８】
2005282879.tif 000010
【図９】
2005282879.tif 000011